(57)【要約】  本発明は、１つ以上のフレーム部から構成され得る眼鏡フレームに、テンプルアームを連結するためのヒンジに関する。テンプルアームとフレームを含む、眼鏡の部分は、眼鏡の色、形状及びスタイルを迅速かつ簡単に変更可能なように、交換可能である。テンプルアームは、フレームにしっかりと連結されるが、テンプルアームが交換のために簡単に脱離可能である方法で連結される。テンプルアームは、簡単な脱離を許容するために、正常方向を越えて変形、湾曲又は移動される必要がある。好ましい実施形態において、テンプルアームヒンジアセンブリは、係止部材と旋回軸シャフトを含み、それによって旋回軸シャフトは、係止部材が、テンプルアームが通常位置を越えて変形等する場合に、係合する／脱離することのみ可能であるように、位置決めされるノッチ又はトランケーションを含む。
2013544379.tif 000002
【特許請求の範囲】
【請求項１】
少なくとも１つのフレーム部に脱離可能に連結したテンプルアームを含む眼鏡ヒンジアセンブリであって、前記テンプルアームが、開放及び閉鎖ポジション間で枢動可能に移動可能であり、前記少なくとも１つのフレーム部から前記テンプルアームを脱離させるために、前記テンプルアームが閉鎖ポジションである時に、前記少なくとも１つのフレーム部に向かって変形可能である、眼鏡ヒンジアセンブリ。
【請求項２】
閉鎖ポジションである時に、テンプルアームが、少なくとも１つのフレーム部から脱離可能ではなく、フレーム部に向かって閉鎖ポジション中に変形した時に、テンプルアームが少なくとも１つのフレーム部から脱離可能である、請求項１に記載の眼鏡ヒンジアセンブリ。
【請求項３】
前記少なくとも１つのフレーム部が、脱離可能に連結した上及び下フレーム部を含む、請求項１又は２に記載の眼鏡ヒンジアセンブリ。
【請求項４】
前記眼鏡アセンブリが、第１のヒンジメンバーと第２のヒンジメンバーを含む、請求項１〜３のいずれか一項に記載の眼鏡アセンブリ。
【請求項５】
前記第１のヒンジメンバーが、旋回軸シャフトを含む、請求項４に記載の眼鏡ヒンジアセンブリ。
【請求項６】
前記第２のヒンジメンバーが、旋回手段を含む、請求項４又は５に記載の眼鏡ヒンジアセンブリ。
【請求項７】
前記旋回手段が、前記第２のヒンジメンバーの、前記第１のヒンジメンバーの旋回軸シャフトの周辺での回転を許容するように適合した、少なくとも１つの係止部材を含む、請求項６に記載の眼鏡ヒンジアセンブリ。
【請求項８】
前記係止部材の程度が、前記係止部材が、少なくとも１つのフレーム部に向かったテンプルアームの変形に際して、旋回軸シャフトから脱離するのみであって良いようである、請求項７に記載の眼鏡ヒンジアセンブリ。
【請求項９】
前記旋回軸シャフトが、前記第１のヒンジメンバーに対して、前記第２のヒンジメンバーの所定の方向にそった、前記旋回軸シャフトとの少なくとも１つの係止部材の係合及び／又は離脱を簡単にするように位置するトランケーション又はノッチを含む、請求項５〜８のいずれか一項に記載の眼鏡ヒンジアセンブリ。
【請求項１０】
前記ノッチが、第２のヒンジメンバーが、前記第１のヒンジメンバーとの係合接触に至る時に、第１のの係止部材の末端を受領するように、旋回軸シャフトの側に位置する、請求項９に記載の眼鏡ヒンジアセンブリ。
【請求項１１】
前記トランケーション又はノッチが、所定の方向を達成するために、前記テンプルアームが、前記第２のヒンジメンバーに対して、前記少なくとも１つのフレーム部に向かって変形される必要があるように、前記第１のヒンジメンバーに対して、前記第２のヒンジメンバーの所定の方向を定義するために位置する、請求項９又は１０に記載の眼鏡ヒンジアセンブリ。
【請求項１２】
前記第２のヒンジメンバーが、回転を制限する部分を含む、請求項４〜１１のいずれか一項に記載の眼鏡ヒンジアセンブリ。
【請求項１３】
前記第２のヒンジメンバーの前記回転を制限する部分が、テンプルアームの回転を制限し、完全な開放ポジションを定義するために、前記第１のヒンジメンバーの表面に当接するために適合される、請求項１２に記載の眼鏡ヒンジアセンブリ。
【請求項１４】
前記眼鏡ヒンジアセンブリが、完全な開放ポジションにて、テンプルアームを偏向するために、第１の偏向手段を含む、請求項１〜１３のいずれか一項に記載の眼鏡ヒンジアセンブリ。
【請求項１５】
前記眼鏡ヒンジアセンブリが、完全な閉鎖ポジションにて、テンプルアームを偏向するために、第２の偏向手段を含む、請求項１〜１４のいずれか一項に記載の眼鏡ヒンジアセンブリ。
【請求項１６】
前記第１のヒンジメンバーが、少なくとも１つのノッチを含み、前記第２のヒンジメンバーが突起を含み、前記ノッチが、完全な開放及び／又は閉鎖ポジションにてテンプルアームを偏向するために、突起と協働するように適合する、請求項４に従属した時に、請求項４〜１５のいずれか一項に記載の眼鏡ヒンジアセンブリ。
【請求項１７】
前記第１のヒンジメンバーが、少なくとも１つの突起を含み、前記第２のヒンジメンバーが、ノッチを含み、前記ノッチが、完全な開放及び／又は閉鎖ポジションにてテンプルアームを偏向するために、突起と協働するように適合する、請求項４に従属した時に、請求項４〜１５のいずれか一項に記載の眼鏡ヒンジアセンブリ。
【請求項１８】
前記少なくとも１つのフレーム部が、前記第１のヒンジメンバーを含み、前記テンプルアームが、前記第２のヒンジメンバーを含む、請求項４に従属した時に、請求項４〜１７のいずれか一項に記載の眼鏡ヒンジアセンブリ。
【請求項１９】
前記少なくとも１つのフレーム部が、前記第２のヒンジメンバーを含み、前記テンプルアームが、前記第１のヒンジメンバーを含む、請求項４に従属した時に、請求項４〜１７のいずれか一項に記載の眼鏡ヒンジアセンブリ。
【請求項２０】
前記旋回軸シャフトが、上方突起部分と下方突起部分を含む、請求項５に従属した時に、請求項５〜１９のいずれか一項に記載の眼鏡ヒンジアセンブリ。
【請求項２１】
前記旋回軸シャフトの上方突起部分及び下方突起部分が単一構築物である、請求項２０に記載の眼鏡ヒンジアセンブリ。
【請求項２２】
前記上部フレーム部が、旋回軸シャフトを含む、請求項４に従属した時に、請求項４〜１７のいずれか一項に記載の眼鏡ヒンジアセンブリ。
【請求項２３】
前記下部フレーム部が、前記上及び下フレーム部が連結した時に、前記旋回軸シャフトが、前記旋回軸シャフト受領部分から下方に伸長するように、前記旋回軸シャフトの下方突起部分を受領するように適合した旋回軸シャフト受領部分を含む、請求項２０に従属した時に、請求項２０〜２２のいずれか一項に記載の眼鏡ヒンジアセンブリ。
【請求項２４】
前記上及び下フレーム部が、オス及びメス部位を協働することによって脱離可能に連結する、請求項３に従属した時に、請求項３〜２３のいずれか一項に記載の眼鏡ヒンジアセンブリ。
【請求項２５】
前記協働しているオス及びメス部位が、旋回軸シャフトと旋回軸受領部位を含む、請求項２４に記載の眼鏡ヒンジアセンブリ。
【請求項２６】
前記第２のヒンジメンバーが、それぞれ旋回軸シャフトの上方突起部分と下方突起部分と協働するように適合した、上部及び下部の係止部材を含む、請求項２０に記載の眼鏡ヒンジアセンブリ。
【請求項２７】
それぞれ少なくとも１つのフレーム部に連結し、完全な開放及び閉鎖ポジション間で移動可能である、２つのテンプルアームを有する一対の眼鏡であって、各テンプルアームの部分が、完全な開放又は閉鎖ポジションにて前記テンプルアームの方向を越えた方向に対して押し進められる時に、少なくとも１つのフレーム部からスライド可能に脱離可能である、一対の眼鏡。
【請求項２８】
テンプルアームが開放及び閉鎖ポジション間で枢動可能に移動可能であるように、少なくとも１つのフレーム部に前記テンプルアームを連結している眼鏡ヒンジアセンブリであって、第１のヒンジメンバー及び第２のヒンジメンバーを含み、前記第１のヒンジメンバーが、少なくとも１つのノッチを含み、前記第２のヒンジメンバーが少なくとも１つの突起を含み、前記ノッチが、開放及び／又は閉鎖ポジションにて、テンプルアームを偏向させるために、前記突起と協働するように適合される、眼鏡ヒンジアセンブリ。
【請求項２９】
請求項１〜２６又は２８のいずれか一項に記載の眼鏡ヒンジアセンブリ中で使用されるために適合した眼鏡テンプルアーム。
【請求項３０】
請求項１〜２６又は２８のいずれか一項に記載の眼鏡ヒンジアセンブリ中で使用されるために適合した１つ以上の眼鏡フレーム部。
【請求項３１】
本質的に、図面にて示した実施形態の任意の１つに関連して本明細書の以上で記述したような、眼鏡ヒンジアセンブリ。
【請求項３２】
本質的に、図面にて示した実施形態の任意の１つに関連して本明細書の以上で記述したような、一対の眼鏡ヒンジアセンブリ。
【請求項３３】
本質的に、図面にて示した実施形態の任意の１つに関連して本明細書の以上で記述したような、眼鏡テンプルアーム。
【請求項３４】
本質的に、図面にて示した実施形態の任意の１つに関連して本明細書の以上で記述したような、１つ以上の眼鏡フレーム部。
【発明の詳細な説明】
【技術分野】
【０００１】
本発明は、眼鏡ヒンジアセンブリに関する。よりとりわけ、本発明は、テンプルアームを眼鏡フレームに脱離可能に接続するためのヒンジに関する。
【背景技術】
【０００２】
多数の世界の人々が、幾つかの形態で、眼鏡を装着する。語句「眼鏡」は一般的に、視力矯正のための眼鏡、太陽光保護のためのサングラス及び眼保護のための安全グラスを含むが限定はされない、レンズが眼の前に装着されるデバイスを意味する。
【０００３】
眼鏡は一般的に、光学的に透明なレンズを装着し、それらを装着者の眼の前に適切に配置させるためのフレームを含む。眼鏡のフレームは一般的に、少なくとも幾つかの以下の構成要素、レンズが接続するリム、装着者の耳の上に位置するアーム又はテンプル、２つのレンズ（又はそれらのリム）を一体に連結するブリッジを含む。フレームの一部、いつもではないが典型的にはブリッジが、装着者の鼻の上に静置するように適合する。
【０００４】
眼鏡は、純粋な機能的アイテムから、ファッションアクセサリーへと、時がたつにつれて発展してきた。眼鏡のスタイルはしたがって、その形状、サイズ及び色に関して発展してきた。最近では、人々はしばしば、異なる状況での使用に合わせるため、異なる衣装を補完するため、又は、単に、趣向を変えるために、２対以上の眼鏡をもつことを望む。しかしながら、眼鏡が高額であることから、多くの人々にとって実用的な選択肢にならない。
【０００５】
眼鏡のスタイルを比較的安価に変更可能な１つの方法は、取り替え可能な部分を利用することである。例えば、特許文献１は、使用者によって変更可能である、脱離可能なテンプルアームを持つ眼鏡を記述している。この明細書にて開示されたテンプルは、レンズコネクター上のピン周辺で回転可能な凹部を含む。特許文献２は、特許文献１と同様の眼鏡を開示している。テンプルアームは、テンプルアームと平行、又はテンプルアームに対して４５°より小さな方向でのテンプルアームの相対運動に際して、レンズコネクター上のピンから脱離可能である。テンプルアームは、適切な方向に力が印加されるという条件で、テンプルアームが任意の構成である時に、眼鏡の残りの部分より脱離可能である。これらの明細書両方において、レンズコネクターのピンは、（テンプルアームに連結するために）凹部内に挿入され、（テンプルアームを取り外すために）凹部から除去されるように変形する必要がある。このことにより、テンプルアームを連結すること、及び取り外すことが、骨の折れるタスクとなり、ピンを変形させる必要性は、破損しやすいことを意味する。それでも、任意の構成である時にテンプルアームを分離する能力は、突発的な分離をもたらし得る。
【０００６】
他の先行技術テンプル交換システムにおいて、テンプルアームは、あまりにも簡単に脱離されるようになり得、これは明らかに望まれないことである。
【０００７】
特許文献４は、例えば長距離及び短距離視力のため、又は太陽の光からの保護のため、状況の必要性にしたがって、レンズの型を変えるための、取り替え可能レンズを持つ眼鏡を記述している。レンズはまた、異なる色又はスタイルの眼鏡フレーム部分と一緒に使用して良い。
【０００８】
特許文献４は、レンズを簡単に取り外し可能とするために、脱離可能テンプルアームと、テンプルアームとの連結点に当接したフレーム中のスリットを有する眼鏡を開示している。スリットは、それぞれが、テンプルアームの回転を可能にするために、テンプルアームの係止部分と係合するように旋回軸ピンを持つ、フレームの２つの部分間で形成される。テンプルアームは、旋回軸ピンが、テンプルアーム中のスロットにそってスライドし、開口部を通して通過可能であるように、フレームに対するテンプルアームの移動に際して、フレームから脱離可能である。閉鎖又はたたまれた構成において、テンプルアームは、フレームより非常に簡単に脱離可能であり、望まれない可能性がある。
【０００９】
他の公知の眼鏡は、小さなネジによってフレームに取り付けられたテンプルアームを有する。これらは、緩くなり、小さなスクリュードライバーで締める必要がある傾向にある。ネジの必要性は、製造工程に追加の構成要素と複雑さを加える。
【００１０】
これらの先行技術システムは、眼鏡のスタイル及び色を変化させる能力を提供するが、しかし可能なカスタマイズの程度は制限される。例えば、ブリッジ及びテンプルアームを変化させる能力により、眼鏡のスタイルを、それらの部分のスタイルの変化によって許容される範囲まで変化させることのみが許容される。
【００１１】
さらに、取り替え可能部分をもつ先行技術眼鏡システムは、長期間の使用のためにデザインされた製品に対して望まれるものよりも、弱く、よりもろいことがわかってきた。このことはとりわけ、テンプルアームがフレーム又はレンズに対して枢動可能に連結する場合のような、取り替え可能部分の連結にて当てはまる。
【先行技術文献】
【特許文献】
【００１２】
【特許文献１】米国特許第２００６／０１３９５６７号明細書
【特許文献２】米国特許第７０２９１１５号明細書
【特許文献３】国際公開第９５／１３５５８号
【特許文献４】米国特許第７７１２８９４号明細書
【発明の概要】
【発明が解決しようとする課題】
【００１３】
本発明の目的は、改善された眼鏡ヒンジアセンブリ又はその構成要素を提供することである。
【００１４】
あるいは、先行技術での上述した問題の少なくともいくつかを克服することが、目的である。
【００１５】
あるいは、有用な選択を公衆に少なくとも提供することが、本発明の目的である。
【課題を解決するための手段】
【００１６】
一般及び非限定語句において、本発明は、１つ以上のフレーム部分から構成され得る眼鏡フレームに、テンプルアームを連結するためのヒンジに関する。テンプルアーム及びフレームを含む眼鏡の部分は、眼鏡の色、形状及びスタイルをすぐに、そして簡単に変更可能なように、取り替え可能である。テンプルアームは、しっかりとフレームに連結されるが、それはテンプルアームが取り替えのために簡単に分離可能である方法で、である。テンプルアームは、簡単に分離可能なように、正常方向を越えて、変形、湾曲又は移動される必要がある。
【００１７】
本発明の第１の態様にしたがって、少なくとも１つのフレーム部に脱離可能に連結したテンプルアームを含む、眼鏡ヒンジアセンブリが提供され、前記テンプルアームは、開放及び閉鎖ポジションの間で枢動可能に移動可能であり、少なくとも１つのフレーム部からテンプルアームを取り外すために、前記テンプルアームが閉鎖ポジションである時に、少なくとも１つのフレーム部分に向かって変形可能である。
【００１８】
好ましい実施形態において、テンプルアームは、閉鎖ポジションである時に、少なくとも１つのフレームから脱離可能ではなく、テンプルアームは、フレーム部に向かって閉鎖ポジションにて変形した時に、少なくとも１つのフレーム部から脱離可能である。
【００１９】
好ましくは、少なくとも１つのフレーム部は、脱離可能に連結した上部及び下部フレーム部を含む。
【００２０】
好ましくは、眼鏡アセンブリは、第１のヒンジメンバー及び第２のヒンジメンバーを含む。
【００２１】
好ましくは、第１のヒンジメンバーは旋回軸シャフトを含む。
【００２２】
好ましくは、第２のヒンジメンバーは、旋回手段を含む。より好ましくは、旋回手段は、第１のヒンジメンバーの旋回軸シャフトの周辺での、第２のヒンジメンバーの回転を許容するように適合する、少なくとも１つの係止部材を含む。
【００２３】
好ましくは、係止部材の程度は、係止部材が、少なくとも１つのフレーム部に向かったテンプルアームの変形に際して、旋回軸シャフトからはずされるのみでありうるようである。
【００２４】
好ましくは、旋回軸シャフトは、第１のヒンジメンバーに対して第２のヒンジメンバーの所定の方向にそって、旋回軸シャフトと少なくとも１つの係止部材の係合及び／又は脱離を簡単にするために位置決めされたトランケーション又はノッチを含む。
【００２５】
より好ましくは、ノッチは、第２のヒンジメンバーが、第１のヒンジメンバーとの係合接触となる時に、第１の係止部材の末端を受領するように、旋回軸シャフトの側に位置決めされる。
【００２６】
より好ましくは、トランケーション又はノッチは、所定の方向を達成するために、テンプルアームが、第２のヒンジメンバーに対して、少なくとも１つのフレーム部に向かって変形される必要があるように、第１のヒンジメンバーに対して第２のヒンジメンバーの所定の方向を定義するために位置決めされる。前記所定の方向において、係止部材の末端は、テンプルアームと少なくとも１つのフレーム部を係合する／脱離させるためにトランケーション又はノッチを通過してスライドするように位置決めされる。
【００２７】
好ましくは、第２のヒンジメンバーは、回転を制限する部分を含む。より好ましくは、第２のヒンジメンバーの回転を制限する部分は、テンプルアームの回転を制限し、完全な開放ポジションを定義するために、第１のヒンジメンバーの表面に当接するように適合される。
【００２８】
好ましくは、眼鏡ヒンジアセンブリは、完全な開放ポジションにて、テンプルアームを偏向させるための第１の偏向手段を含む。
【００２９】
好ましくは、眼鏡ヒンジアセンブリは、完全な閉鎖ポジションにて、テンプルアームを偏向させるための第２の偏向手段を含む。
【００３０】
好ましくは、第１のヒンジメンバーは、少なくとも１つのノッチを含み、第２のヒンジメンバーは、突起を含み、ノッチは、完全な開放及び／又は閉鎖ポジションにて、テンプルアームを偏向させるために、突起と協働するように適合される。
【００３１】
他の実施形態において、第１のヒンジメンバーは、少なくとも１つの突起を含み、第２のヒンジメンバーは、ノッチを含み、ノッチは、完全な開放及び／又は閉鎖ポジションにて、テンプルアームを偏向させるために、突起と協働するように適合される。
【００３２】
本発明は、脱離可能に連結する２つのヒンジメンバーを含む眼鏡に対するヒンジアセンブリに関係する。本発明が、どの眼鏡構成要素が、どのヒンジアセンブリの協働特徴を含むかに依存しないことが当業者によって理解されるであろう。例えば、テンプルアーム又は少なくとも１つのフレーム部は、旋回軸シャフトを含んで良く、他が、協働旋回手段を含んで良い。
【００３３】
好ましくは、少なくとも１つのフレーム部に、第１のヒンジメンバーが含まれ、テンプルアームに第２のヒンジメンバーが含まれる。
【００３４】
他の実施形態において、少なくとも１つのフレーム部に、第２のヒンジメンバーが含まれ、テンプルアームに第１のヒンジメンバーが含まれる。
【００３５】
好ましくは、旋回軸シャフトは、上方突起部分及び下方突起部分を含む。
【００３６】
好ましくは、旋回軸シャフトの上方突起部分及び下方突起部分は、単一構造物である。
【００３７】
好ましくは、上部フレーム部は、旋回軸シャフトを含む。
【００３８】
好ましくは、下部フレーム部は、上部及び下部フレーム部が連結する時に、旋回軸シャフトが、旋回軸シャフト受領部分から下方に伸長するように、旋回軸シャフトの下方突起部分を受領するように適合した旋回軸シャフト受領部分を含む。
【００３９】
好ましくは、上部及び下部フレーム部は、協働オス及びメス部分によって脱離可能に連結する。より好ましくは、協働オス及びメス部分は、旋回軸シャフトと旋回軸シャフト受領部分を含んで良い。
【００４０】
好ましくは、第２のヒンジメンバーは、それぞれ旋回軸シャフトの上方突起部分と下方突起部分と協働するように適合した、上部及び下部の係止部材を含む。
【００４１】
本発明の第２の様態にしたがって、それぞれが少なくとも１つのフレーム部に枢動可能に連結し、完全な開放及び閉鎖ポジション間で移動可能な、２つのテンプルアームを有する一対の眼鏡が提供され、各テンプルアームは、各テンプルアームの部分が、完全な開放又は閉鎖ポジションにて、テンプルアームの方向を越えた方向に押し進められる時に、少なくとも１つのフレーム部からスライド可能に脱離可能である。
【００４２】
本発明の第三様態にしたがって、テンプルアームが、開放及び閉鎖ポジション間で枢動可能に移動可能であるように、少なくとも１つのフレーム部にテンプルアームを連結している眼鏡ヒンジアセンブリが提供され、眼鏡ヒンジアセンブリは、第１のヒンジメンバーと第２のヒンジメンバーを含み、第１のヒンジメンバーは、少なくとも１つのノッチを含み、第２のヒンジメンバーは、少なくとも１つの突起を含み、ノッチは、開放及び／又は閉鎖ポジションにて、テンプルアームを偏向するために、突起と協働するように適合される。
【００４３】
本発明の第四様態にしたがって、本発明の第１の及び／又は第三様態にしたがった眼鏡ヒンジアセンブリ中で使用されるように適合した眼鏡テンプルアームが提供される。
【００４４】
本発明の第五様態にしたがって、本発明の第１の及び／第三様態にしたがった眼鏡ヒンジアセンブリ中で使用されるように適合した１つ以上の眼鏡フレーム部が提供される。
【００４５】
すべてのその新規様態として考慮されるべきである、本発明のさらなる様態が、本発明の実際の適用の少なくとも１つの例を提供する以下の記述を読むことにおいて、当業者に理解されるようになるであろう。
【００４６】
本発明の１つ以上の実施形態が、以下の図面を参照して、例示によってのみ、そして制限する意図はなく、以下で記述されている。
【図面の簡単な説明】
【００４７】
【図１】本発明の実施形態にしたがった眼鏡アセンブリの等角図である。
【図２】本発明の実施形態にしたがった眼鏡ヒンジアセンブリの等角図である。
【図３】図２にて図解した第１のヒンジメンバーの１つの末端の平面図である。
【図４】図２にて図解した第２のヒンジメンバーの１つの末端の断面平面図である。
【図５】本発明の実施形態にしたがった、第１のヒンジメンバーの１つの末端の平面図である。
【図６】本発明の１つの実施形態にしたがったフレームの拡大等角図である。
【図７】本発明の他の実施形態にしたがった眼鏡ヒンジアセンブリの部分の等角図である。
【図８】図７にて図解した第１のヒンジメンバーの等角図である。
【図９】図７にて図解した第２のヒンジメンバーの上部の等角図である。
【図１０】図７にて図解した第２のヒンジメンバーの下部の等角図である。
【発明を実施するための形態】
【００４８】
図１は、本発明の実施形態における眼鏡アセンブリ１０の等角図である。アセンブリ１０は、フレーム１１及びテンプルアーム１２、１３（図１にて開放構成中で示している）を含む。フレーム１１は、眼レンズを受領するように適合したレンズ受領部分を含む。
【００４９】
テンプルアーム１２、１３は、ヒンジアセンブリ又はヒンジ連結部１４、１５の手段によって、フレーム１１に枢動可能に連結する。ヒンジ連結部１４、１５は、フレーム１１に対するテンプルアーム１２、１３の回転運動を許容する。図１にて、テンプルアーム１２、１３は、眼鏡アセンブリを装着者の顔の上に配置可能である、開放又は展開ポジションで示されている。テンプルアームは、例えば眼鏡を保管するために、閉じられるか、又は折り畳まれても良い。テンプルアーム１２、１３の移動の極限が、完全な開放及び閉鎖ポジションである。完全な開放及び閉鎖ポジションは、移動リミッターを通して定義されて良い。例えば、幾つかの実施形態において、テンプルアームは、フレーム１１と接触するようになる程度まで閉じられ、完全な閉鎖ポジションを定義する。他の実施形態において、ヒンジ連結部１４、１５は、完全な開放及び／又は閉鎖ポジションを定義するために、回転制限部分を含み、その例が以下でさらに記述される。
【００５０】
テンプルアーム１２、１３は、フレーム１１に脱離可能に連結する。テンプルアームが脱離可能であることにより、それらを、他のテンプルアームと取り替えることが可能であり、それによって、眼鏡のスタイル、色及び／又は形状を、使用者の要求に適合するように改変可能である。フレーム１１又はその部分をまた、同様の構成要素で取り替えても良い。
【００５１】
図１にて示した実施形態において、テンプルアーム１２、１３は、通常の使用においては、すなわち、過剰で、おそらく損傷を与える力なしには、分離するのが難しく、したがって通常の使用の間は、しっかりと連結される。閉鎖ポジションである場合、各テンプルアームは、フレーム１１の方向で各アームを変形させること又は曲げることによって、フレーム１１から分離して良い。より一般的に、閉鎖ポジション中のその本来の方向を越えて、テンプルアームを動かすことによって、分離させることが可能でありうる。そのような方法でテンプルアームを曲げることによって、以下でより詳細に記述するように、ヒンジアセンブリの部品が再配置され、それによってテンプルアーム及びフレームが比較的簡単にスライドして別々になることが可能である。一対の眼鏡の通常の利用の間、テンプルアームは、そのような変形可能性はなく、したがって、テンプルアームは、通常の利用の間、離れる可能性はない。
【００５２】
図１にて示した好ましい実施形態において、フレーム１１は上部フレーム部分１６と下部フレーム部分１７を含む。上部フレーム部分１６は、下部フレーム部分１７に脱離可能に連結する。１つの実施形態において、上部及び下部フレーム部分は、協動オス及びメス摩擦嵌合部分の手段によって連結される。他の実施形態において、上部及び下部フレーム部分を脱離可能に連結する他の手段を使用し、本発明はそれに制限されないことが理解されるであろう。上部及び下部フレーム部分は、好ましくは脱離可能に連結し、それによってそれらを分離するために合理的な力が必要であり、すなわち利用者は、それらを引き離すことが可能であるが、通常の利用の間は意図せずに分離されない。
【００５３】
他の実施形態において、フレーム１１は、単一構造であって良く、又はフレーム部の他の構成からなって良い。
【００５４】
任意の好適な物質を、本発明にしたがった眼鏡ヒンジアセンブリの構成部分を形成するために使用して良い。図２〜図６は、示された構成要素を形成するためにプラスチック物質を使用した本発明の１つの実施形態を図示している。
【００５５】
図２は、本発明の実施形態にしたがった、眼鏡ヒンジアセンブリ２０の等角図である。ヒンジアセンブリ２０は、第１のヒンジメンバー２１と、第２のヒンジメンバー２２を含み、ヒンジメンバーは、枢動可能に協働するように適合される。図２にて示した好ましい実施形態において、眼鏡の１つ以上のフレーム部は、第１のヒンジメンバー２１を含み、眼鏡のテンプルアームは第２のヒンジメンバー２２を含む。しかしながら、他の実施形態において、眼鏡の１つ以上のフレーム部は、第２のヒンジメンバー２２を含み、テンプルアームは第１のヒンジメンバー２１を含む。本発明は、ヒンジアセンブリに関連するので、どの眼鏡構成要素が、どのヒンジアセンブリの協働構造を含むかに依存しない。
【００５６】
図２の好ましい実施形態において、１つ以上のフレーム部は、眼鏡の正面を作りあげ、テンプルアームの部分は、正面を含まない。これは、幾つかの場合で好ましい可能性がある。しかしながら、特定の環境で、テンプルアームの１つの末端が、眼鏡の正面の部分を含むことが望ましい可能性がある。これらの環境において、眼鏡の１つ以上のフレーム部は、第２のヒンジメンバー２２を含んで良く、テンプルアームは第１のヒンジメンバー２１を含んで良い。
【００５７】
本発明の原理が、多数の方法で実施されて良いことが、当業者によって理解されるであろう。本明細書で記述した実施形態は、本発明を制限していない。例えば、図解した実施形態の種々の様態を変更することによって、眼鏡の異なるスタイル、形状及び構成を提供可能である。
【００５８】
［第１のヒンジメンバー］
第１のヒンジメンバー２１は、図２と、図２にて図解した第１のヒンジメンバーの１つの末端の平面図である図３を参照してここで記述される。示された末端は、第２のヒンジメンバーと協働する末端である。
【００５９】
第１のヒンジメンバー２１は、旋回軸シャフト２３を含む。旋回軸シャフト２３は、第１のヒンジメンバー２１の１つの末端から伸長しているリム２４から、それぞれ上方及び下方に伸長する、上方及び下方伸長部分を含む。旋回軸シャフト２３は、リム２４に関して中心に位置する。（以下で記述する）第２のヒンジメンバーの係止部材が、旋回軸シャフトと係合することを許し、第１のヒンジメンバーに対して第２のヒンジメンバーの回転を許容するために、旋回軸シャフト２３と、第１のヒンジメンバー２１からのリム２４の伸長によって定義された回転壁部分２５との間には十分な幅がある。
【００６０】
旋回軸シャフトは、図２及び図３で示した旋回軸シャフト２３の上方伸長部分中のノッチ２６のような少なくとも１つのノッチ又はスカラップを含んで良い。同様の大きさ及び配置のノッチがまた、下方伸長部分にて提供される。ノッチ２６は、円弧の形状を持つ。図３にて示した実施形態の場合、円は、旋回軸シャフト２３の半径よりもわずかに大きな半径を持つ。他の実施形態は、異なるサイズ及び形状のノッチを含んで良い。
【００６１】
ノッチ２６は、回転壁部分２５に面した旋回軸シャフト２３の表面上に位置する。ノッチ２６は、それにそって旋回軸シャフト２３の幅が、他の方向においてよりも狭い方向を定義する。これにより、第２のヒンジメンバーがこの方向にそって移動する時に、第２のヒンジメンバーが、第１のヒンジメンバーと係合される。ノッチの実際の位置は、第２のヒンジメンバーが、第１のヒンジメンバーからの係合の外にスライドするために必要な方向に応じて、したがって、それによってテンプルアーム及びフレーム部をはずすことが可能な簡便さに応じて変化して良い。図３にて示した実施形態において、ノッチ２６を定義している弧の末端間で引いた線は、第１のヒンジメンバー２１の直線エッジ３１に平行な線で、５８°の角を定義する。
【００６２】
第１のヒンジメンバー２１は、少なくとも１つのノッチ、例えばリム２４の外側エッジ中のノッチ２７及び２８を含む。ノッチ２７及び２８は、以下で記述するように、第２のヒンジメンバー上の突起とともに協働するように適合する。ノッチ２７と２８は好ましくはＶ型であるが、しかし他の実施形態では異なって成形されて良い。ノッチは、ノッチの外に第２のヒンジメンバーの突起を動かすのに少量の力が必要なように、十分に浅い。
【００６３】
第１のヒンジメンバー２１は、テンプルアームが完全に開放ポジションである時に、第２のヒンジメンバーの回転制限部分に当接するように適合した表面又は壁部分２９を含む。壁部分２９に最も近い回転壁部部分２５の末端はまた、その回転を制限するために、第２のヒンジメンバーの一部に当接して良い。
【００６４】
［第２のヒンジメンバー］
第２のヒンジメンバー２２は、図２と、図２中で図解した第２のヒンジメンバーの１つの末端の断面平面図である図４を参照して、本明細書で記述される。示された末端は、第１のヒンジメンバーと協働する末端である。
【００６５】
第２のヒンジメンバー２２は、第１のヒンジメンバーの旋回軸シャフトに関して旋回するように適合した旋回手段である。例えば、第２のヒンジメンバー２２は少なくとも１つの係止部材４１を含む。示した実施形態は、それぞれ、旋回軸シャフトの上方及び下方突起部分と協働する、上部及び下部の係止部材を含む。上部及び下部の係止部材間にて、第１のヒンジメンバー２１のリム２４を受領するように適合したチャネルが定義され、係止部材間のその回転を許可する。
【００６６】
係止部材４１は、旋回軸シャフト２３と協働するように適合し、第１のヒンジメンバーの旋回軸シャフト周辺で、第２のヒンジメンバーの回転を許容する厚さを持つ。係止部材４１の内部で定義された部分円の半径は、本質的に旋回軸シャフト２３の半径と同様である。好ましい実施形態において、係止部材４１内部で定義された部分円の半径は、テンプルアームが過剰に緩くならないように、第１の及び第２のヒンジメンバーが、合理的な量の摩擦で、互いに対して回転するために、旋回軸シャフト２３の半径よりもわずかに小さい。当業者は、相対的寸法が、要求を満足させるために変化可能であることを理解するであろう。
【００６７】
係止部材４１は、バンプ４２中で終了する直線区画４３を含む。図４で示した実施形態において、直線区画４３は、第２のヒンジメンバーの縦軸に関して１８°の角度を定義する。この角度は、以下で記述するように、他の実施形態で変化して良い。
【００６８】
第２のヒンジメンバー２２は、第１の及び第２のヒンジメンバー間の可能性のある回転の程度を制限するための回転制限部分を含む。好ましい実施形態において、回転制限部分は、フレームに対して、テンプルアームの完全な開放ポジションを定義する。そのような実施形態において、完全に閉鎖したポジションは一般的に、テンプルアームのフレームとの接触によって定義される。他の実施形態は、完全に閉鎖したポジションを定義する、さらなる回転制限部分を含んで良い。図４で示した実施形態において、上部及び下部の係止部材間に位置する舌部４６は、テンプルアームの回転を制限するために、開放ポジションにて、第１のヒンジメンバー２１の壁部分２９に当接するように適合する、側面４７中に末端を持つ。さらに、係止部材４１の後部で、平面側面を定義するショルダー４４が提供される。完全な開放ポジションにおいて、ショルダー４４は、テンプルアームの回転を制限するために、第１のヒンジメンバー２１の壁部分２５の回転の末端に当接するように適合する。
【００６９】
第２のヒンジメンバー２２は、第１のヒンジメンバー２１のノッチ２７、２８と協働するように適合する突起４５を含む。突起４５は、それとの協働のために、ノッチ２７及び２８の形状及びサイズと同様に成形され、及び大きさが決定される。示した実施形態において、突起４５は、舌部４６の末端にて、又はその周辺で、上部及び下部の係止部材間に位置する舌部４６の内側に位置する。
【００７０】
［ヒンジメンバーの動作］
以上で記述した実施形態において示した第１の及び第２のヒンジメンバーを連結するために、第２のヒンジメンバーの上部及び下部の係止部材を、それぞれ旋回軸シャフト２３の上方及び下方に伸長している部分と係合接触させる。旋回軸シャフトのノッチ、例えばノッチ２６は、係止部材４１の末端の一部を受領するように位置する。係止部材が、旋回軸シャフト２３の周辺で完全に係合するように、第２のヒンジメンバーを、例えば第１のヒンジメンバーの方向で、第２のヒンジメンバーの中間区画に力を印加することによって、変形させるか、又は使用の間、正常方向を越えて湾曲させる。変形は結果として、第２のヒンジメンバーの一部が、ヒンジアセンブリが閉じ、眼鏡テンプルアームが、眼鏡フレームに対して当接する時に、通常方向を越える方向に押し進められることとなる。これは、旋回軸シャフト２３とノッチ２６に対する係止部材４１と直線区画４３の角度を変える効果を持つ。角度におけるこの変化は、旋回軸シャフト２３が、直線区画４３と平行にスライドし、係止部材４１と完全に協働することを許容する。第２のヒンジメンバーが、このように変形した時にのみ、変形が、ノッチ２３のおかげで、旋回軸シャフト２３の最も狭い幅に相当する方向を直線区画４３と平行に並べるので、係止部材４１の末端と直線区画４３との間に旋回軸シャフト２３を適合可能である。
【００７１】
いったん係合したならば、第１の及び第２のヒンジメンバーは、例えば以上で記述した回転リミッターと、フレームに対して当接しているテンプルアームによって定義された、開放及び閉鎖制限間で、互いに対して自由に回転し得る。
【００７２】
開放ポジションにおいて、突起４５が、ノッチ２７と協働し、開放ポジションへ眼鏡を偏向させることを助ける。同様に、閉鎖ポジションにおいて、突起４５は、閉鎖ポジションに眼鏡を維持するために、ノッチ２８と協働する。これらの特徴はしばしば、テンプルアームが、眼鏡周辺でフラッピングすることを防止し、眼鏡の丈夫さの感覚を与えるために望ましい。
【００７３】
［変動パラメータ］
必要であろうように、種々のパラメータにおける変化が、第１の及び第２のヒンジメンバーのより簡単な、又はより難しい係合／脱離を許容することが理解されるであろう。例えば、係止部材４１の程度が、係止部材が旋回軸シャフトと係合、及び、脱離することが可能な容易さに影響を与える。
【００７４】
さらに、第２のヒンジメンバーの縦軸に対する、直線区画４３の角度が、係止部材４１と係合するために、旋回軸シャフト４３が、直線区画４３と平行にスライドしなければならないので、第１のヒンジメンバーが、第２のヒンジメンバーに連結可能である角度を決定する。第２のヒンジメンバーの縦軸に対する直線区画４３のより大きな角度が、第２のヒンジメンバーのより大きな変形が、ヒンジメンバーの係合／脱離のために必要であり、したがって連結をより強固にし、連結又は分離がより難しくなることを意味する。
【００７５】
同様に、旋回軸シャフト２３のノッチ２６の位置がまた、ヒンジメンバーを連結するため、及び脱離させるための難しさの程度を決定する。図５は、本発明の実施形態にしたがった第１のヒンジメンバー５０の１つの末端の平面図である。ノッチ５６が、図３で示した第１のヒンジメンバー２１上のノッチ２６の位置と比較した時に、第１のヒンジメンバー５０の旋回軸シャフトのさらに周辺に位置する（図５は、図３にて示したものに対して、他の眼鏡フレームの末端を図解しており、したがって、構成要素は反転される）。すなわち、ノッチ５６の末端に連結している線と、第１のヒンジメンバー５０の直線エッジ５１に平行な線の間の角度は、ヒンジメンバー２１に対する等価角度よりも小さい。
【００７６】
上記したように、第１のヒンジメンバー２１は２つのノッチ２７、２８を含み、第２のヒンジメンバー４１は突起４５を含む。これらは、相当な大きさ及び形状であり、テンプルアームが、完全な開放又は閉鎖ポジションに偏向するような位置で、第１のヒンジメンバーと第２のヒンジメンバーを偏向するために協働する。ノッチ２７、２８及び／又は突起４５の位置は、テンプルアームの所望の完全な開放／閉鎖ポジションに依存して変わって良い。ノッチのサイズ及び形状が、偏向の程度と、テンプルアームを、完全な開放又は閉鎖ポジションから移動させるために必要な力の量を決定し、必要に応じて変更可能であることも理解されるであろう。
【００７７】
他の実施形態において、第１のヒンジメンバーは、突起を含んで良く、第２のヒンジメンバーは、記述したように、テンプルアームの位置を偏向するためにノッチを含んで良い。当業者は、本発明が、第１の及び第２のヒンジメンバーの構成要素を取り替える変化を包含していることを理解するであろう。
【００７８】
［上部及び下部フレーム部分］
図１に関連して議論したように、好ましい実施形態において、眼鏡アセンブリのフレームは、上部及び下部フレーム部分を含む。そのような実施形態は、本明細書で、本発明の１つの実施形態にしたがった、フレーム６０の組立分解等角図である、図６に関連して、より詳細に記述される。
【００７９】
フレーム６０は、脱離可能に接続可能な上部フレーム部分６１と下部フレーム部分６２を含む。例えば、フレーム部分は、相当するメス部分６４と協働しているオス部分６３の手段によって脱離可能に連結可能である。他の実施形態において、当業者に理解されるような、上部及び下部フレーム部分を脱離可能に連結する他の方法が提供される。
【００８０】
フレーム６０は、図６にて示した実施形態において、上方及び下方伸長部分を含む、旋回軸シャフト６５を含む。旋回軸シャフト６５は好ましくは、製造の簡便さと強度のために、上部フレーム部分６１との単一構造物である。下部フレーム部分のリム６８中の穴６７を通して位置する場合に、本質的に上方伸長部分がリム６６から伸長するのと同一の量、リム６８から伸長する長さの、下方伸長部分で、上方及び下方伸長部分は、リム６６の外に伸長する。上部及び下部フレーム部が連結する場合、リム６６と６８は、そろったエッジにて、隣接して配置される。
【００８１】
フレームが上部及び下部を含む実施形態は、以上で記述した実施形態に限定されないことが理解されるであろう。幾つかの実施形態において、旋回軸シャフトを含むのが下部フレーム部分であり、上部フレーム部分は、旋回軸シャフトを受領するための穴を持つリム部分を含む。また他の実施形態において、上部及び下部フレーム部分が、それぞれ旋回軸シャフトの上方及び下方に伸長している部分を含む。
【００８２】
旋回軸シャフトを受領するフレーム部分のリム中の穴を通した旋回軸シャフトの摩擦適合が、上部及び下部フレーム部分の連結を確保するために加わるので、上部又は下部フレーム部分のいずれかが、旋回軸シャフトを含む実施形態が一般的に好まれる。
【００８３】
さらに、上及び下フレーム部が、眼鏡のスタイルを変更可能であるように、異なる色又は形状の同様の部分と交換可能である眼鏡に関して使用する時に、上部フレーム部分がよりしばしば変更されることが見込まれるので、上部フレーム部分が旋回軸シャフトを含む図６にて示した実施形態がさらなる利点を提供する。したがって、最も摩耗しにくい構成要素を含む下部フレーム部分を持つことが好都合である。オスメンバーと旋回軸シャフトが、使用を通して不格好になりやすいので、そしておそらくボキッと折れることに対して弱いので、これらは上部フレーム部分中に含まれることが好ましい。
【００８４】
［本発明の他の実施形態］
図７〜図１０は、本発明のさらなる実施形態にしたがった眼鏡ヒンジアセンブリの部分を図示している。ヒンジアセンブリの働きに関した部分のみが図中に示されている。部分は、眼鏡構成要素と連結されて良く、又は統合して形成されて良いことが理解されるであろう。図７〜図１０にて示した実施形態は、示した構成要素を形成するために、金属物質の利用にとりわけ適合する。眼鏡の製造にて使用される金属及び金属合金は一般に、プラスチック物質よりも変形が少なく、図１〜図６で示した本発明の実施形態に関連して議論されたものと比較した構成要素中、幾つかの差違が有益でありうる。
【００８５】
図７は、本発明の実施形態にしたがった、眼鏡ヒンジアセンブリ７０の部分の等角図である。ヒンジアセンブリ７０は、第１のヒンジメンバー７１と第２のヒンジメンバー７２を含み、上部７３と下部７４で分離可能である。図８〜図１０は、それぞれ第１のヒンジメンバー７１、第２のヒンジメンバー７２の上部７３及び第２のヒンジメンバー７２の下部７４の等角図である。
【００８６】
好ましい実施形態において、第１のヒンジメンバー７１は、眼鏡テンプルアームの一部として包含され、第２のヒンジメンバー７２は、眼鏡フレームの部分として包含されるが、他の実施形態では、反対の場合でありうる。
【００８７】
図７〜図１０にて示した本発明の実施形態の多くの特徴が、先に議論した本発明の実施形態のものと同様である。そのような特徴は再び議論はしない。
【００８８】
図９で明確に示すように、第２のヒンジメンバー７２の上部分７３には、旋回軸シャフトの下部が、第２のヒンジメンバー７２の下部分７４の穴１０１を通して通過し、その下に伸長するように適合するように、リム９２のレベルの上下で伸長する旋回軸シャフト９１を含む。旋回軸シャフト９１は、第１のヒンジメンバー７１の係止末端７５が、所定の角度にて、シャフトと枢軸上係合となることを許容する、トランケートされた側９３を持つ。先に議論したように、眼鏡構成要素の寸法は、第１のヒンジメンバー７１が所定の角度を得るために変形させる必要があるように、決定される。
【００８９】
プラスチック物質と比べて、金属物質の変形が欠如することによって、金属物質を使用する時に、トランケートされた旋回軸シャフト９１が、先に記述された実施形態のノッチつき旋回軸シャフトよりも好ましいという発見が導かれてきた。
【００９０】
図９で示すように、上部分７３は、上部分７３の底面から下方に伸長し、上部分及び下部分を一緒に連結するために、下部分７４中、相応に成型された穴１０２と嵌合するために適合する、オスメンバー９４を含んで良い。
【００９１】
本発明の実施形態は、テンプルアームが、閉鎖ポジションにある時に、「正常」方向を越えて、変形し、湾曲し、又は移動する時に、眼鏡フレームから取り外し可能であるように以上で記述してきた。以上で議論したヒンジアセンブリの原理が、テンプルアームが、開放ポジションにある時に、「正常」方向を越えて、変形し、湾曲し、又は移動する時に、眼鏡フレームから取り外し可能であるヒンジアセンブリの他の実施形態に適用可能であることが当業者によって理解されるであろう。
【００９２】
［発明の利点］
本発明の実施形態は、先行技術に対して１つ以上の利点を提供し、それには、
テンプルアームが、通常使用の間に分離となることはほとんどないが、必要な時に脱離することが簡単な方法で、眼鏡フレームに脱離可能に連結する、
迅速かつ簡単な様式で、上及び下フレーム部を含む、テンプルアーム及び／又は眼鏡フレームの部分を分離することが、眼鏡のスタイル、形状又は色を、装着者の要求をみたすために変更可能であることを意味する、
テンプルアームが、その部分に対してほとんど摩耗が発生しない方法で、眼鏡フレームに脱離可能に連結する、
眼鏡フレームが、摩耗に対して最も弱い構成要素が、交換を通して摩耗にさらされることがほとんどない部分上で提供されるように、テンプルアームに、しっかりと、しかし脱離可能に連結した上及び下フレーム部を含んで良い、
テンプルアームが、２つの所定のポジション（開放及び閉鎖ポジション）の１つに向かって偏向するか、又はそのままである傾向にある。このことにより、眼鏡が「ゆるい」テンプルアームを持つことが防止され、テンプルアームの移動に対する一般的に望ましい感覚を作り出す、
ことが含まれて良い。
【００９３】
文脈が他に明確に要求しない限り、記述及び請求項のいたるところで、語句「含む（ｃｏｍｐｒｉｓｅ）」、「含む（ｃｏｍｐｒｉｓｉｎｇ）」などは、除外又は網羅的意味と反対の、含有的意味にて構築されるべきであり、すなわち、「含むが、それらに限定はされ得ない」の意味である。
【００９４】
以上及び以下で引用されるすべての明細書、特許及び発行物のすべての開示物が、もしあるとすれば、参考文献によって本明細書に組み込まれている。
【００９５】
本明細書中の任意の先行技術に対する参照は、先行技術が、世界中の任意の国で、試みの領域での、共通で一般的な知識の一部を形成するという知識、又は任意の形態の提案ではなく、そうとられるべきではない。
【００９６】
本発明はまた、２つ又はそれ以上の部分、要素又は特徴の任意の、又はすべての組み合わせにて、個々に又は集合として、本明細書を参照し、又は本明細書内で示唆された、部分、要素及び特徴に存すると広くいわれて良い。
【００９７】
以上の記述参照は、その公知の均等物を持つ完全体又は構成要素に対して行われてきており、それらの完全体は、あたかも個々に説明するように、本明細書に組み込まれている。
【００９８】
本明細書にて記述された好ましい実施形態に対する種々の変化及び改変が、当業者に理解されるであろうことに留意すべきである。そのような変化及び改変は、本発明の意図及び範囲を逸脱しないで、またその付随する利益を減少させることなく、実施されて良い。したがって、そのような変化及び改変が、本発明内に含まれることが意図される。
【符号の説明】
【００９９】
１０  眼鏡アセンブリ
１１  フレーム
１２  テンプルアーム
１３  テンプルアーム
１４  ヒンジ連結部
１５  ヒンジ連結部
【図１】
2013544379.tif 000003
【図２】
2013544379.tif 000004
【図３】
2013544379.tif 000005
【図４】
2013544379.tif 000006
【図５】
2013544379.tif 000007
【図６】
2013544379.tif 000008
【図７】
2013544379.tif 000009
【図８】
2013544379.tif 000010
【図９】
2013544379.tif 000011
【図１０】
2013544379.tif 000012
【手続補正書】
【提出日】平成25年6月4日(2013.6.4)
【手続補正１】
【補正対象書類名】特許請求の範囲
【補正対象項目名】全文
【補正方法】変更
【補正の内容】
【特許請求の範囲】
【請求項１】
少なくとも１つのフレーム部に脱離可能に連結したテンプルアームを含む眼鏡ヒンジアセンブリであって、前記テンプルアームが、開放及び閉鎖ポジション間で枢動可能に移動可能であり、前記少なくとも１つのフレーム部から前記テンプルアームを脱離させるために、前記テンプルアームが閉鎖ポジションである時に、前記少なくとも１つのフレーム部に向かって変形可能である、眼鏡ヒンジアセンブリ。
【請求項２】
閉鎖ポジションである時に、テンプルアームが、少なくとも１つのフレーム部から脱離可能ではなく、フレーム部に向かって閉鎖ポジション中に変形した時に、テンプルアームが少なくとも１つのフレーム部から脱離可能である、請求項１に記載の眼鏡ヒンジアセンブリ。
【請求項３】
前記少なくとも１つのフレーム部が、脱離可能に連結した上及び下フレーム部を含む、請求項１又は２に記載の眼鏡ヒンジアセンブリ。
【請求項４】
前記眼鏡アセンブリが、第１のヒンジメンバーと第２のヒンジメンバーを含み、
前記第１のヒンジメンバーが、旋回軸シャフトを含み、
前記第２のヒンジメンバーが、旋回手段を含む、請求項１〜３のいずれか一項に記載の眼鏡アセンブリ。
【請求項５】
前記旋回手段が、前記第２のヒンジメンバーの、前記第１のヒンジメンバーの旋回軸シャフトの周辺での回転を許容するように適合した、少なくとも１つの係止部材を含む、請求項４に記載の眼鏡ヒンジアセンブリ。
【請求項６】
前記係止部材の程度が、前記係止部材が、少なくとも１つのフレーム部に向かったテンプルアームの変形に際して、旋回軸シャフトから脱離するのみであって良いようである、請求項５に記載の眼鏡ヒンジアセンブリ。
【請求項７】
前記旋回軸シャフトが、前記第１のヒンジメンバーに対して、前記第２のヒンジメンバーの所定の方向にそった、前記旋回軸シャフトとの少なくとも１つの係止部材の係合及び／又は離脱を簡単にするように位置するトランケーション又はノッチを含む、請求項４〜６のいずれか一項に記載の眼鏡ヒンジアセンブリ。
【請求項８】
前記ノッチが、第２のヒンジメンバーが、前記第１のヒンジメンバーとの係合接触に至る時に、第１のの係止部材の末端を受領するように、旋回軸シャフトの側に位置する、請求項７に記載の眼鏡ヒンジアセンブリ。
【請求項９】
前記トランケーション又はノッチが、所定の方向を達成するために、前記テンプルアームが、前記第２のヒンジメンバーに対して、前記少なくとも１つのフレーム部に向かって変形される必要があるように、前記第１のヒンジメンバーに対して、前記第２のヒンジメンバーの所定の方向を定義するために位置する、請求項７又は８に記載の眼鏡ヒンジアセンブリ。
【請求項１０】
前記第２のヒンジメンバーが、回転を制限する部分を含む、請求項４〜９のいずれか一項に記載の眼鏡ヒンジアセンブリ。
【請求項１１】
前記第２のヒンジメンバーの前記回転を制限する部分が、テンプルアームの回転を制限し、完全な開放ポジションを定義するために、前記第１のヒンジメンバーの表面に当接するために適合される、請求項１０に記載の眼鏡ヒンジアセンブリ。
【請求項１２】
前記眼鏡ヒンジアセンブリが、完全な開放ポジションにて、テンプルアームを偏向するために、第１の偏向手段を含む、請求項１〜１１のいずれか一項に記載の眼鏡ヒンジアセンブリ。
【請求項１３】
前記眼鏡ヒンジアセンブリが、完全な閉鎖ポジションにて、テンプルアームを偏向するために、第２の偏向手段を含む、請求項１〜１２のいずれか一項に記載の眼鏡ヒンジアセンブリ。
【請求項１４】
前記旋回軸シャフトが、上方突起部分と下方突起部分を含む、請求項４に従属した時に、請求項４〜１３のいずれか一項に記載の眼鏡ヒンジアセンブリ。
【請求項１５】
前記上部フレーム部が、旋回軸シャフトを含む、請求項４に従属した時に、請求項４〜１４のいずれか一項に記載の眼鏡ヒンジアセンブリ。
【請求項１６】
前記下部フレーム部が、前記上及び下フレーム部が連結した時に、前記旋回軸シャフトが、前記旋回軸シャフト受領部分から下方に伸長するように、前記旋回軸シャフトの下方突起部分を受領するように適合した旋回軸シャフト受領部分を含む、請求項１５に記載の眼鏡ヒンジアセンブリ。
【請求項１７】
前記第２のヒンジメンバーが、それぞれ旋回軸シャフトの上方突起部分と下方突起部分と協働するように適合した、上部及び下部の係止部材を含む、請求項１６に記載の眼鏡ヒンジアセンブリ。
【請求項１８】
それぞれ少なくとも１つのフレーム部に連結し、完全な開放及び閉鎖ポジション間で移動可能である、２つのテンプルアームを有する一対の眼鏡であって、各テンプルアームの部分が、完全な開放又は閉鎖ポジションにて前記テンプルアームの方向を越えた方向に移動された時に、少なくとも１つのフレーム部からスライド可能に脱離可能である、一対の眼鏡。
【請求項１９】
請求項１〜１８のいずれか一項に記載の眼鏡ヒンジアセンブリ中で使用されるために適合した眼鏡テンプルアームであって、
眼鏡テンプルアームが、伸長した主要部及び前記主要部の一端にある係止部材を備え、前記係止部材が、前記少なくとも１つのフレーム部に向かった前記テンプルアームの変形の際に、旋回軸シャフトから脱離されるように構成されているにすぎない、眼鏡テンプルアーム。
【請求項２０】
請求項１〜１８のいずれか一項に記載の眼鏡ヒンジアセンブリ中で使用されるために適合した１つ以上の眼鏡フレーム部であって、
前記眼鏡フレーム部が、旋回軸シャフトを備え、前記旋回軸シャフトが、前記眼鏡フレーム部に対して、前記テンプルアームの所定の方向に沿って前記旋回軸シャフトにて前記少なくとも１つの係止部材の係合及び／又は離脱を簡単にするように位置するトランケーション又はノッチを含む、１つ以上の眼鏡フレーム部。
【国際調査報告】
2013544379.tif 000013
2013544379.tif 000014
2013544379.tif 000015